(57)【特許請求の範囲】
【請求項１】
適宜飲料容器の口部に装着できるようにした開閉バルブユニットを形成し、この開閉バルブユニットが下方に位置するような傾斜状態、或いは、倒立状態に飲料容器をセットできるようにしたディスペンサー本体を形成し、このディスペンサー本体には、開閉バルブユニットの開閉レバーに連繋するような操作レバーを形成し、操作レバーの揺動操作によって、開閉バルブユニットの開閉レバーを作動せしめて、開閉バルブユニット内に設けた飲料注出路を自在に開閉し、飲料容器内の適宜飲料を開閉バルブユニットの注出口から任意に注出できるよう構成したことを特徴とする飲料用ディスペンサー。
【請求項２】
開閉バルブユニット内に設けた飲料注出路の一部を飲料用弾性チューブで構成し、この飲料用弾性チューブを、開閉レバーに連繋される挾圧駒体と、挾圧用受部とで挾圧することによって、飲料注出路を閉じられるように構成したことを特徴とする請求項１記載の飲料用ディスペンサー。
【請求項３】
開閉バルブユニットには、飲料容器内と外部とを連通するようなエアー流路を設けると共に、このエアー流路に連通するエアー抜パイプを装着し、このエアー抜パイプの先端部が飲料容器の底部近傍に配されるように形成し、エアー抜パイプの先端には、エアーバルブを装着し、このエアーバルブは、エアー抜パイプの先端に装着されるバルブ用ケース基体と、このバルブ用ケース基体の先端に装着されるバルブ用ケース蓋体と、バルブ用ケース基体とバルブ用ケース蓋体によって構成される栓体収容空間に収容されて、エアー抜パイプのエアー流路を開閉するバルブ用栓体とで構成したことを特徴とする請求項１または請求項２記載の飲料用ディスペンサー。
【請求項４】
適宜飲料容器の口部に装着できるようにした開閉バルブユニットを形成し、この開閉バルブユニットが下方に位置するような傾斜状態、或いは、倒立状態に飲料容器をセットできるようにしたディスペンサー本体を形成し、このディスペンサー本体には、開閉バルブユニットの開閉レバーに連繋するような操作レバーを形成し、操作レバーの揺動操作によって、開閉バルブユニットの開閉レバーを作動せしめて、開閉バルブユニット内に設けた飲料注出路を自在に開閉し、飲料容器内の適宜飲料を開閉バルブユニットの注出口から任意に注出できるよう構成した飲料用ディスペンサーであって、開閉バルブユニットは、ケースと、このケースの飲料容器装着部に配されるチューブ取付体と、ケースの注出口がわに配されるチューブ取付体と、これらチューブ取付体相互を夫々連通するように取付けられる飲料用弾性チューブ及びエアー用チューブと、前記操作レバーに連繋されて揺動する開閉レバーと、この開閉レバーに連繋されて飲料用弾性チューブに向ってケース内を進退自在に摺動する挾圧駒体と、飲料用弾性チューブを挟んで挾圧駒体の反対がわに配される挾圧用受部と、挾圧駒体が飲料用弾性チューブがわに向って摺動するように弾発力を常時付勢している弾発スプリングとを備え、弾発スプリングの弾発力によって挾圧駒体が挾圧用受部と共に飲料用弾性チューブを部分的に挾圧して飲料注出路を閉じておけるように構成したことを特徴とする飲料用ディスペンサー。
【発明の詳細な説明】
【０００１】
【発明の属する技術分野】
本発明は、主に、ホームパーティー等で使用される飲料用ディスペンサーであって、例えば、ジュース、炭酸飲料、水等の適宜飲料が入っているペットボトル容器や、アルコール飲料等が入っている硝子容器等の適宜飲料容器の口部に、開閉バルブユニットを装着し、この開閉バルブユニットが下方に位置するような傾斜状態、或いは、倒立状態に飲料容器をセットできて、飲料容器内の適宜飲料を、操作レバーの操作によって注出口から確実に注出させて、コップ等に入れることが簡単に行えるように工夫した飲料用ディスペンサーに関するものである。
【０００２】
【従来の技術】
従来、この種の飲料用ディスペンサーにあっては、業務用のものが提供されており、これは、飲料用ディスペンサー内に設けてある飲料タンク内に飲料を入れておくようにしたもので、この飲料タンク内の飲料を注出できるように構成されている。
【０００３】
【発明が解決しようとする課題】
ところが、前述の如き業務用の飲料用ディスペンサーにあっては、飲料タンク内の洗浄等による衛生面での管理が常に必要であり、家庭で手軽に楽しむのに適したものではなかった。
【０００４】
【課題を解決するための手段】
そこで、本発明は、飲料タンク等に飲料を移し換えることなく、飲料容器をそのまま利用してセットでき、ホームパーティー等での使用に適し、家庭で手軽に楽しむことができ、衛生的で、取扱い易く、興趣に富み、しかも、構成が簡素で、量産に適し、低廉で経済的な飲料用ディスペンサーを提供すべく創出されたもので、請求項１記載の飲料用ディスペンサーにあっては、適宜飲料容器Ｃの口部に装着できるようにした開閉バルブユニットＢを形成し、この開閉バルブユニットＢが下方に位置するような傾斜状態、或いは、倒立状態に飲料容器Ｃをセットできるようにしたディスペンサー本体Ａを形成し、このディスペンサー本体Ａには、開閉バルブユニットＢの開閉レバー３０に連繋するような操作レバー５を形成し、操作レバー５の揺動操作によって、開閉バルブユニットＢの開閉レバー３０を作動せしめて、開閉バルブユニットＢ内に設けた飲料注出路を自在に開閉し、飲料容器Ｃ内の適宜飲料を開閉バルブユニットＢの注出口から任意に注出できるよう構成する手段を採用した。
【０００５】
また、請求項２記載の飲料用ディスペンサーにあっては、開閉バルブユニットＢ内に設けた飲料注出路の一部を飲料用弾性チューブ２５で構成し、この飲料用弾性チューブ２５を、開閉レバー３０に連繋される挾圧駒体３５と、挾圧用受部１２とで挾圧することによって、飲料注出路を閉じられるように構成する手段を採用した。
【０００６】
更に、請求項３記載の飲料用ディスペンサーにあっては、開閉バルブユニットＢには、飲料容器Ｃ内と外部とを連通するようなエアー流路を設けると共に、このエアー流路に連通するエアー抜パイプ４０を装着し、このエアー抜パイプ４０の先端部が飲料容器Ｃの底部近傍に配されるように形成し、エアー抜パイプ４０の先端には、エアーバルブを装着し、このエアーバルブは、エアー抜パイプ４０の先端に装着されるバルブ用ケース基体４５と、このバルブ用ケース基体４５の先端に装着されるバルブ用ケース蓋体４６と、バルブ用ケース基体４５とバルブ用ケース蓋体４６によって構成される栓体収容空間に収容されて、エアー抜パイプ４０のエアー流路を開閉するバルブ用栓体５０とで構成する手段を採用した。
【０００７】
そして、請求項４記載の飲料用ディスペンサーにあっては、適宜飲料容器Ｃの口部に装着できるようにした開閉バルブユニットＢを形成し、この開閉バルブユニットＢが下方に位置するような傾斜状態、或いは、倒立状態に飲料容器Ｃをセットできるようにしたディスペンサー本体Ａを形成し、このディスペンサー本体Ａには、開閉バルブユニットＢの開閉レバー３０に連繋するような操作レバー５を形成し、操作レバー５の揺動操作によって、開閉バルブユニットＢの開閉レバー３０を作動せしめて、開閉バルブユニットＢ内に設けた飲料注出路を自在に開閉し、飲料容器Ｃ内の適宜飲料を開閉バルブユニットＢの注出口から任意に注出できるよう構成した飲料用ディスペンサーであって、開閉バルブユニットＢは、ケース１０と、このケース１０の飲料容器装着部に配されるチューブ取付体１５と、ケース１０の注出口がわに配されるチューブ取付体２０と、これらチューブ取付体１５，２０相互を夫々連通するように取付けられる飲料用弾性チューブ２５及びエアー用チューブ２６と、前記操作レバー５に連繋されて揺動する開閉レバー３０と、この開閉レバー３０に連繋されて飲料用弾性チューブ２５に向ってケース１０内を進退自在に摺動する挾圧駒体３５と、飲料用弾性チューブ２５を挟んで挾圧駒体３５の反対がわに配される挾圧用受部１２と、挾圧駒体３５が飲料用弾性チューブ２５がわに向って摺動するように弾発力を常時付勢している弾発スプリング３７とを備え、弾発スプリング３７の弾発力によって挾圧駒体３５が挾圧用受部１２と共に飲料用弾性チューブ２５を部分的に挾圧して飲料注出路を閉じておけるように構成する手段を採用した。
【０００８】
【発明の実施の形態】
以下、本発明を図示例に基づいて説明すると、次の通りである。
本発明は、主に、ホームパーティー等で使用される家庭用の飲料用ディスペンサーであって、例えば、ジュース、炭酸飲料、水等の適宜飲料が入っている比較的大きなペットボトル容器（例えば、1.5 リットルや、2 リットルのペットボトル容器、或いは、その他のサイズのペットボトル容器等）、或いは、アルコール飲料等が入っている硝子容器（例えば、一升瓶等）、或いは、その他フランジ部付き容器等の如く適宜構成、形状、材質、寸法等が採用される飲料容器Ｃに対応するものである。そして、この適宜飲料容器Ｃの口部に、開閉バルブユニットＢを装着し、この開閉バルブユニットＢが下方に位置するような傾斜状態、或いは、図示例のような倒立状態に飲料容器Ｃをディスペンサー本体Ａにセットできて、飲料容器Ｃ内の適宜飲料を、操作レバー５の操作によって注出口から確実に注出させて、コップ等に入れることが簡単に行えるように構成したものである。すなわち、ディスペンサー本体Ａには、開閉バルブユニットＢの開閉レバー３０に連繋するように操作レバー５を形成し、操作レバー５の揺動操作によって、開閉バルブユニットＢの開閉レバー３０を作動せしめて、開閉バルブユニットＢ内に設けた飲料注出路を自在に開閉し、飲料容器Ｃ内の適宜飲料を開閉バルブユニットＢの注出口から任意に注出できるよう構成されている。
【０００９】
しかも、開閉バルブユニットＢは、適宜合成樹脂製のケース１０と、飲料容器Ｃが装着されるケース１０の装着凹部１１に配されるチューブ取付体１５と、ケース１０の注出口がわに配されるチューブ取付体２０と、これらチューブ取付体１５，２０相互を夫々連通するように取付けられる飲料用弾性チューブ２５及びエアー用チューブ２６と、前記操作レバー５に連繋されて揺動する開閉レバー３０と、この開閉レバー３０に連繋されて飲料用弾性チューブ２５に向ってケース１０内を進退自在に摺動する挾圧駒体３５と、飲料用弾性チューブ２５を挟んで挾圧駒体３５の反対がわに配される挾圧用受部１２と、挾圧駒体３５が飲料用弾性チューブ２５がわに向って摺動するように弾発力を常時付勢している弾発スプリング３７とを備え、弾発スプリング３７の弾発力によって挾圧駒体３５が挾圧用受部１２と共に飲料用弾性チューブ２５を部分的に挾圧して飲料注出路を閉じておけるように構成されている。
【００１０】
また、開閉バルブユニットＢには、飲料容器Ｃ内と外部とを連通するようなエアー流路（エアー用チューブ２６）に連通するエアー抜パイプ４０が装着され、このエアー抜パイプ４０の先端部が飲料容器Ｃの底部近傍に配されるようにし、エアー抜パイプ４０の先端には、エアーバルブが装着されている。
【００１１】
ディスペンサー本体Ａは、適宜合成樹脂材によって安定性の良い適宜形状に形成されており、その前面がわ上部には、飲料容器Ｃ及び開閉バルブユニットＢを安定的に収容支持できるように形成された収容部１が設けられている。そして、この収容部１の下方に注出ノズル２が配置されている。しかも、注出ノズル２下方には、コップ等が安定的に載置できるように形成されている。尚、ディスペンサー本体Ａには、複数の収容部１を並設するように構成しても良い。
【００１２】
操作レバー５は、例えば、ディスペンサー本体Ａの前面がわに配されると共に、上下方向に揺動自在となるように形成されている。しかも、操作レバー５には、前端がわの操作部分が常時上方に移動するような向きに弾発力を発揮する捩りコイルバネ８が装着されている。更に、操作レバー５の後端部分には、連結杆７を介して押圧体６が連繋されている。すなわち、操作レバー５の前端がわの操作部分を下方に揺動させると、連結杆７を介して押圧体６を揺動せしめられ、この押圧体６が開閉バルブユニットＢの開閉レバー３０を下方に大きく揺動せしめられるように構成されている（図２、図３参照）。
【００１３】
開閉バルブユニットＢのケース１０は、例えば、左右に分離可能に形成され、飲料容器Ｃ及び開閉バルブユニットＢをディスペンサー本体Ａの収容部１にセットしたときに於ける上部には、飲料容器Ｃの口部が装着できる装着凹部１１が設けられている。尚、この装着凹部１１は、その内周面に雌ネジ部を設け、飲料容器Ｃの口部に設けた雄ネジ部を螺着できるように構成しても良い。また、装着凹部１１奥壁部には、飲料容器Ｃの口部先端面に密接するようなＯリング１１ａを配設しておき、装着凹部１１と飲料容器Ｃの口部との気密、水密性を高めて、飲料容器Ｃ内の適宜飲料の漏れを確実に防止できるように構成してある。
【００１４】
更に、ケース１０の左右側部には、一対のロック片１３が揺動自在に装着してあり、この一対のロック片１３夫々には、弾性スププリング１４の弾発力が付勢されており、ロック片１３先端の顎部が飲料容器Ｃのフランジ部６０に係止されて、飲料容器Ｃ口部の装着凹部１１からの逸脱が確実に阻止できるように形成されている（図５参照）。
【００１５】
ケース１０の装着凹部１１に配されるチューブ取付体１５は、略円板状の基板の下方（チューブ取付体２０がわ）に略円筒状のチューブ取付筒１６とチューブ取付筒１７を連設し、基板の上方（飲料容器Ｃがわ）にチューブ取付筒１７に連通するような略円筒状のパイプ取付筒１８を設けて構成されており、チューブ取付筒１６には、飲料用弾性チューブ２５が外嵌され、チューブ取付筒１７には、エアー用チューブ２６が外嵌され、パイプ取付筒１８には、エアー抜パイプ４０が内嵌されるように構成してある。
【００１６】
ケース１０の注出口（注出ノズル２）がわに配されるチューブ取付体２０は、略円板状の基板の上方（チューブ取付体１５がわ）に略円筒状のチューブ取付筒２１とチューブ取付筒２２を連設して構成されており、チューブ取付筒２１には、飲料用弾性チューブ２５が外嵌され、チューブ取付筒２２には、エアー用チューブ２６が外嵌されるように構成してある。しかも、基板の下方（注出口がわ）には、略円筒状の摺動案内筒を設けて、ケース１０に対して若干上下に摺動できるように形成されている。すなわち、飲料用弾性チューブ２５を挾圧駒体３５と挾圧用受部１２で挾圧したときに、飲料用弾性チューブ２５の弾性変形によって、チューブ取付体２０全体がチューブ取付体１５（飲料容器Ｃ）がわに無理なく摺動して、飲料用弾性チューブ２５がチューブ取付筒２１から抜けるようなことが生じないように配慮してある。
【００１７】
飲料用弾性チューブ２５は、例えば、円筒状を呈するシリコンチューブ等が利用され、挾圧駒体３５と挾圧用受部１２による挾圧状態が解除されたときに、自身の弾性復元力が発揮されるようなものが利用される。また、エアー用チューブ２６も、例えば、円筒状を呈するシリコンチューブ等が利用される。
【００１８】
操作レバー５に連繋されて揺動する押圧体６によってその一端部分が押圧される開閉レバー３０は、ピン挿通孔３３に挿通される軸ピン３１を介してケース１０に揺動自在に装着されており、その他端部分に設けたピン固定孔３２には、連結ピン３４が固定されている。
【００１９】
挾圧駒体３５は、飲料用弾性チューブ２５に向って進退自在に摺動できるようにケース１０内装されており、ケース１０に縮装される弾発スプリング３７の弾発力によって、その先端部が飲料用弾性チューブ２５を常に挾圧するように形成されている。しかも、その基端部に設けた長円状のピン収容孔３６には、前記開閉レバー３０の連結ピン３４が収容されており、開閉レバー３０の揺動によって弾発スプリング３７の弾発力に抗して後退できるように構成されている。尚、挾圧駒体３５を弾性的に押圧している弾発スプリング３７は、例えば、熱等によって飲料容器Ｃ内の圧力が異常に高くなったような場合に、その圧力によって縮むように設定されている。すなわち、弾発スプリング３７及び挾圧駒体３５が安全弁の役割を果たすようにもなっている。また、飲料用弾性チューブ２５は、弾発スプリング３７の弾発力によって、通常は挾圧された状態となるため、例えば、開閉バルブユニットＢの洗浄時等に於いて、その洗浄や乾燥等が衛生的に行えるように、挾圧駒体３５を弾発スプリング３７の弾発力に抗して後退せしめておけるような維持手段を設けてあっても良い。そして、この維持手段は、例えば、ケース１０に適宜貫通孔を穿設し、この貫通孔に挿脱自在に挿通される停止ピンによって構成され、この停止ピンが開閉レバー３０が戻らないように邪魔することで、挾圧駒体３５が弾発スプリング３７の弾発力に抗して後退している状態（飲料用弾性チューブ２５の開通状態）を維持できるようになる（図示せず）。
【００２０】
エアー抜パイプ４０の先端に装着されているエアーバルブは、エアー抜パイプ４０の先端に固定されるバルブ用ケース基体４５と、このバルブ用ケース基体４５の先端に装着されるバルブ用ケース蓋体４６と、バルブ用ケース基体４５とバルブ用ケース蓋体４６によって構成される栓体収容空間に収容されて、エアー抜パイプ４０のエアー流路を開閉するバルブ用栓体５０とで構成されており、バルブ用栓体５０には、Ｏリング５１が装着され、このＯリング５１は、バルブ用ケース基体４５に設けた略円錐状傾斜面に密接することで、エアー流路を確実に閉じられるように形成されている。しかも、バルブ用栓体５０内部には、適宜空気室が構成されており、飲料容器Ｃ内の適宜飲料の中にエアーバルブを入れたときに、バルブ用栓体５０自身の浮力によってエアー流路が確実に閉じられるように形成されている。
【００２１】
ところで、飲料用ディスペンサーの具体的構成、形状、寸法、材質、ディスペンサー本体Ａの具体的構成、形状、寸法、材質、収容部１の具体的構成、形状、寸法、配設位置、数、注出ノズル２の具体的構成、形状、寸法、材質、配設位置、数、操作レバー５の具体的構成、形状、寸法、材質、配設位置、数、押圧体６の具体的構成、形状、寸法、材質、配設位置、連結杆７の具体的構成、形状、寸法、材質、配設位置、捩りコイルバネ８の具体的構成、形状、寸法、材質、配設位置、開閉バルブユニットＢの具体的構成、形状、寸法、材質、ケース１０の具体的構成、形状、寸法、材質、装着凹部１１の具体的構成、形状、寸法、配設位置、数、Ｏリング１１ａの具体的構成、形状、寸法、配設位置、挾圧用受部１２の具体的構成、形状、寸法、材質、配設位置、ロック片１３の具体的構成、形状、寸法、材質、配設位置、数、弾性スププリング１４の具体的構成、形状、寸法、材質、配設位置、数、チューブ取付体１５の具体的構成、形状、寸法、材質、チューブ取付筒１６，１７の具体的構成、形状、寸法、配設位置、パイプ取付筒１８の具体的構成、形状、寸法、配設位置、チューブ取付体２０の具体的構成、形状、寸法、材質、チューブ取付筒２１，２２の具体的構成、形状、寸法、配設位置、飲料用弾性チューブ２５の具体的構成、形状、寸法、材質、配設位置、エアー用チューブ２６の具体的構成、形状、寸法、材質、配設位置、開閉レバー３０の具体的構成、形状、寸法、材質、配設位置、軸ピン３１の具体的構成、形状、寸法、材質、ピン固定孔３２の具体的構成、形状、寸法、配設位置、ピン挿通孔３３の具体的構成、形状、寸法、配設位置、連結ピン３４の具体的構成、形状、寸法、材質、配設位置、挾圧駒体３５の具体的構成、形状、寸法、材質、配設位置、ピン収容孔３６の具体的構成、形状、寸法、配設位置、弾発スプリング３７の具体的構成、形状、寸法、材質、配設位置、エアー抜パイプ４０の具体的構成、形状、寸法、材質、配設位置、バルブ用ケース基体４５の具体的構成、形状、寸法、材質、バルブ用ケース蓋体４６の具体的構成、形状、寸法、材質、バルブ用栓体５０の具体的構成、形状、寸法、材質、配設位置、Ｏリング５１の具体的構成、形状、寸法、材質、配設位置、飲料容器Ｃの具体的構成、形状、寸法、材質、フランジ部６０の具体的構成、形状、寸法等は、図示例のもの等に限定されることなく適宜自由に設定、変更できるものである。
【００２２】
【発明の効果】
従って、請求項１記載の飲料用ディスペンサーは、適宜飲料容器Ｃの口部に装着できるようにした開閉バルブユニットＢを形成し、この開閉バルブユニットＢが下方に位置するような傾斜状態、或いは、倒立状態に飲料容器Ｃをセットできるようにしたディスペンサー本体Ａを形成し、このディスペンサー本体Ａには、開閉バルブユニットＢの開閉レバー３０に連繋するような操作レバー５を形成し、操作レバー５の揺動操作によって、開閉バルブユニットＢの開閉レバー３０を作動せしめて、開閉バルブユニットＢ内に設けた飲料注出路を自在に開閉し、飲料容器Ｃ内の適宜飲料を開閉バルブユニットＢの注出口から任意に注出できるよう構成したので、飲料タンク等に飲料を移し換えることなく、飲料容器Ｃをそのまま利用してディスペンサー本体Ａにセットでき、飲料容器Ｃ内の適宜飲料を開閉バルブユニットＢの注出口から確実に注出して、コップ等に入れることが簡単に行えるようになる。加えて、飲料容器Ｃ内の適宜飲料の注出が、衛生的に且つ手軽に行えるようになり、ホームパーティー等での使用に適し、興趣に富み、家庭等で楽しむことができる飲料用ディスペンサーとなる。しかも、手間がかからず、取扱い易く、構成が簡素で、量産に適し、低廉で経済的な飲料用ディスペンサーとなる。
【００２３】
また、請求項２記載の飲料用ディスペンサーは、開閉バルブユニットＢ内に設けた飲料注出路の一部を飲料用弾性チューブ２５で構成し、この飲料用弾性チューブ２５を、開閉レバー３０に連繋される挾圧駒体３５と、挾圧用受部１２とで挾圧することによって、飲料注出路を閉じられるように構成したので、挾圧駒体３５と挾圧用受部１２の僅かな挾圧力で飲料注出路を確実に閉じられるようになる。しかも、飲料用弾性チューブ２５を利用しているので、飲料注出路の開閉がスムーズに行われるようになる。
【００２４】
更に、請求項３記載の飲料用ディスペンサーは、開閉バルブユニットＢには、飲料容器Ｃ内と外部とを連通するようなエアー流路を設けると共に、このエアー流路に連通するエアー抜パイプ４０を装着し、このエアー抜パイプ４０の先端部が飲料容器Ｃの底部近傍に配されるように形成し、エアー抜パイプ４０の先端には、エアーバルブを装着し、このエアーバルブは、エアー抜パイプ４０の先端に装着されるバルブ用ケース基体４５と、このバルブ用ケース基体４５の先端に装着されるバルブ用ケース蓋体４６と、バルブ用ケース基体４５とバルブ用ケース蓋体４６によって構成される栓体収容空間に収容されて、エアー抜パイプ４０のエアー流路を開閉するバルブ用栓体５０とで構成したので、飲料容器Ｃ内へ自動的にエアーが入るようになり、飲料容器Ｃ内の適宜飲料が注出口からスムーズに注出されるようになる。
【００２５】
特に、エアー抜パイプ４０の先端にエアーバルブを装着したので、飲料容器Ｃへの開閉バルブユニットＢの装着時には、エアー抜パイプ４０内への飲料の逆流を防止できるようになると共に、飲料容器Ｃのディスペンサー本体Ａへのセット時には、飲料容器Ｃ内の炭酸ガスの抜け等を確実に防止できるようになる。
【００２６】
そして、請求項４記載の飲料用ディスペンサーは、適宜飲料容器Ｃの口部に装着できるようにした開閉バルブユニットＢを形成し、この開閉バルブユニットＢが下方に位置するような傾斜状態、或いは、倒立状態に飲料容器Ｃをセットできるようにしたディスペンサー本体Ａを形成し、このディスペンサー本体Ａには、開閉バルブユニットＢの開閉レバー３０に連繋するような操作レバー５を形成し、操作レバー５の揺動操作によって、開閉バルブユニットＢの開閉レバー３０を作動せしめて、開閉バルブユニットＢ内に設けた飲料注出路を自在に開閉し、飲料容器Ｃ内の適宜飲料を開閉バルブユニットＢの注出口から任意に注出できるよう構成した飲料用ディスペンサーであって、開閉バルブユニットＢは、ケース１０と、このケース１０の飲料容器装着部に配されるチューブ取付体１５と、ケース１０の注出口がわに配されるチューブ取付体２０と、これらチューブ取付体１５，２０相互を夫々連通するように取付けられる飲料用弾性チューブ２５及びエアー用チューブ２６と、前記操作レバー５に連繋されて揺動する開閉レバー３０と、この開閉レバー３０に連繋されて飲料用弾性チューブ２５に向ってケース１０内を進退自在に摺動する挾圧駒体３５と、飲料用弾性チューブ２５を挟んで挾圧駒体３５の反対がわに配される挾圧用受部１２と、挾圧駒体３５が飲料用弾性チューブ２５がわに向って摺動するように弾発力を常時付勢している弾発スプリング３７とを備え、弾発スプリング３７の弾発力によって挾圧駒体３５が挾圧用受部１２と共に飲料用弾性チューブ２５を部分的に挾圧して飲料注出路を閉じておけるように構成したので、飲料タンク等に飲料を移し換えることなく、飲料容器Ｃをそのまま利用してディスペンサー本体Ａにセットでき、飲料容器Ｃ内の適宜飲料を開閉バルブユニットＢの注出口から確実に注出して、コップ等に入れることが簡単に行えるようになる。加えて、飲料容器Ｃ内の適宜飲料の注出が、衛生的に且つ手軽に行えるようになり、ホームパーティー等での使用に適し、興趣に富み、家庭等で楽しむことができる飲料用ディスペンサーとなる。しかも、手間がかからず、取扱い易く、構成が簡素で、量産に適し、低廉で経済的な飲料用ディスペンサーとなる。
【００２７】
特に、開閉バルブユニットＢは、ケース１０と、このケース１０の飲料容器装着部に配されるチューブ取付体１５と、ケース１０の注出口がわに配されるチューブ取付体２０と、これらチューブ取付体１５，２０相互を夫々連通するように取付けられる飲料用弾性チューブ２５及びエアー用チューブ２６と、前記操作レバー５に連繋されて揺動する開閉レバー３０と、この開閉レバー３０に連繋されて飲料用弾性チューブ２５に向ってケース１０内を進退自在に摺動する挾圧駒体３５と、飲料用弾性チューブ２５を挟んで挾圧駒体３５の反対がわに配される挾圧用受部１２と、挾圧駒体３５が飲料用弾性チューブ２５がわに向って摺動するように弾発力を常時付勢している弾発スプリング３７とを備え、弾発スプリング３７の弾発力によって挾圧駒体３５が挾圧用受部１２と共に飲料用弾性チューブ２５を部分的に挾圧して飲料注出路を閉じておけるように構成したので、開閉レバー３０の揺動操作だけで、飲料注出路を簡単に開閉でき、挾圧駒体３５と挾圧用受部１２による飲料用弾性チューブ２５の挾圧によって、飲料注出路を確実に閉じておけるようになる。しかも、飲料用弾性チューブ２５の利用によって、飲料注出路を僅かな力で閉じておけるようになると共に、飲料用弾性チューブ２５自身の弾性復元力によって飲料注出路の開閉がスムーズに行われるようになる。
【００２８】
加えて、飲料用弾性チューブ２５は、弾発スプリング３７の弾発力によって挾圧駒体３５と挾圧用受部１２で常時挾圧されており、飲料容器Ｃ内の適宜飲料が注出口から漏れる等の虞れが全く無いものとなる。
一方、熱等によって飲料容器Ｃ内の圧力が異常に高くなったような場合には、飲料容器Ｃ内の圧力によって弾発スプリング３７が縮むようになり、弾発スプリング３７及び挾圧駒体３５が安全弁の役割を果たすようになり、より安全性の高い開閉バルブユニットＢとなる。
更に、エアー用チューブ２６によって、飲料容器Ｃ内へエアーが入るようになり、飲料容器Ｃ内の適宜飲料が注出口からスムーズに注出されるようになる。
【図面の簡単な説明】
【図１】本発明の飲料用ディスペンサーを例示する一部切欠側面図である。
【図２】本発明の飲料用ディスペンサーの開閉バルブユニット部分を示す一部切欠部分側面図である。
【図３】本発明の飲料用ディスペンサーの開閉バルブユニット部分を示す一部切欠部分側面図である。
【図４】本発明の飲料用ディスペンサーの開閉バルブユニット部分を示す分解斜視図である。
【図５】本発明の飲料用ディスペンサーの開閉バルブユニット部分を示す一部切欠部分正面図である。
【図６】本発明の飲料用ディスペンサーのエアーバルブ部分の縦断面図である。
【符号の説明】
Ａ      ディスペンサー本体
１      収容部                        ２      注出ノズル
５      操作レバー                    ６      押圧体
７      連結杆                        ８      捩りコイルバネ
Ｂ      開閉バルブユニット
１０    ケース                        １１    装着凹部
１１ａ  Ｏリング                      １２    挾圧用受部
１３    ロック片                      １４    弾性スププリング
１５    チューブ取付体                １６    チューブ取付筒
１７    チューブ取付筒                １８    パイプ取付筒
２０    チューブ取付体                ２１    チューブ取付筒
２２    チューブ取付筒
２５    飲料用弾性チューブ            ２６    エアー用チューブ
３０    開閉レバー                    ３１    軸ピン
３２    ピン固定孔                    ３３    ピン挿通孔
３４    連結ピン
３５    挾圧駒体                      ３６    ピン収容孔
３７    弾発スプリング
４０    エアー抜パイプ
４５    バルブ用ケース基体            ４６    バルブ用ケース蓋体
５０    バルブ用栓体                  ５１    Ｏリング
Ｃ      飲料容器
６０    フランジ部
【図１】
0004448971.tif 000002
【図２】
0004448971.tif 000003
【図３】
0004448971.tif 000004
【図４】
0004448971.tif 000005
【図５】
0004448971.tif 000006
【図６】
0004448971.tif 000007